(57)【要約】【課題】可逆性感熱記録層を交換可能とすることにより、製品寿命を延長させ得るようにしたＲＦＩＤタグを提供する。【解決手段】外装体２にＩＣチップ３とループアンテナ４とが内蔵され、外装体２の一面に可逆性感熱記録層５が設けられてなるＲＦＩＤタグ１にあって、可逆性感熱記録層５を、シート状紙基材６と該シート状紙基材６上に塗工された可逆性感熱記録材７とを備えてなるものとし、シート状紙基材６の下面をアルカリ性水溶液で溶解するアルカリ可溶性粘着剤（粘着剤層８）によって外装体２の一面に接合することにより、アルカリ可溶性粘着剤の易溶解性を介して可逆性感熱記録層５を交換可能にした。【選択図】図３
2008221502.tif 000002
【特許請求の範囲】
【請求項１】
外装体にＩＣチップとループアンテナとが内蔵され、外装体の一面に可逆性感熱記録層が設けられてなるＲＦＩＤタグにおいて、
可逆性感熱記録層が、シート状紙基材と該シート状紙基材上に塗工された可逆性感熱記録材とを備えてなり、シート状紙基材の下面をアルカリ性水溶液で溶解するアルカリ可溶性粘着剤によって外装体の一面に接合することにより、アルカリ可溶性粘着剤の易溶解性を介して可逆性感熱記録層を交換可能としたことを特徴とするＲＦＩＤタグ。
【請求項２】
アルカリ可溶性粘着剤が、ｐＨ９以上のアルカリ性水溶液で溶解するものであることを特徴とする請求項１記載のＲＦＩＤタグ。
【発明の詳細な説明】
【技術分野】
【０００１】
本発明は、外装体の一面に設けられた可逆性感熱記録層の交換を容易に行い得るようにしたＲＦＩＤタグに関する。
【背景技術】
【０００２】
ＲＦＩＤ（Radio Frequency Identification）システムで用いられる非接触型ＩＣタグ等のＲＦＩＤタグは、平板矩形状をなす外装体にＩＣチップとループアンテナとを内蔵し、入出力装置（リーダ・ライタ）との間で電磁波を利用して非接触でコマンド，データ等の信号を送受信し得る機能を備えた電池レスタイプのデータキャリアであって、入出力装置側のアンテナが放射する有効電磁波ゾーンに進入すると、ＲＦＩＤタグが具備するループアンテナが誘導起電力を生成し、該電力により動作状態となって入出力装置からのコマンド，データ等の信号を検出するとともに、そのコマンド信号に従ってＩＣチップが具備するデータの読み書きが可能なメモリに受信データを格納したり、メモリに格納されているデータを入出力装置に送信するものであり、小型で携帯性に優れているため、近年、交通・レジャー分野，物流分野，セキュリティー分野，工場生産分野，環境分野，その他の幅広い分野で導入が進められている。
【０００３】
また、かかるＲＦＩＤタグにおいて、外装体の一面に可逆性感熱記録層を設け、内部に格納されているデータに関する情報等を可視情報として可逆的に書き換えて表示し得るようにしたものも知られている。この可逆性感熱記録層は、外装体の一面に可逆性感熱記録材を印刷法，コーティング法等によって直接塗工して設けたり（例えば、特許文献１参照）、上面に可逆性感熱記録材を塗工したシート状の合成樹脂基材を外装体の一面に接着剤で貼着することにより設けられている（例えば、特許文献２参照）。そして、該可逆性感熱記録層に対してサーマルヘッドを備えた書込み装置によって印字を行うことにより、可視情報を可逆的に書き換え得るようになっている。
【特許文献１】特開２００６−２４４０１３号公報（段落［００３３］）
【特許文献２】特開２００４−２６５２４７号公報（段落［００２２］）
【発明の開示】
【発明が解決しようとする課題】
【０００４】
ところで、ＲＦＩＤタグにあっては、仕様にもよるが、一般に数万回から１０万回程度のデータ更新が可能であるのに対して、外装体の一面に設けられた可逆性感熱記録層は、可視情報の書き換え時におけるサーマルヘッドの摺擦、運用時における汚れ，損傷等を主な原因として、１００回程度の書き換え回数を消化すると劣化してしまい、可視情報の書き換え及び表示が良好にできなくなってしまう。このため、ＲＦＩＤタグのデータ更新可能回数がまだ十分残っているにも拘わらず、製品としての寿命が尽きるという問題点があった。
【０００５】
本発明は、可逆性感熱記録層を安価かつ容易に交換可能とすることにより、かかる問題点を解消し得るようにしたＲＦＩＤタグを提供することを目的とするものである。
【課題を解決するための手段】
【０００６】
本発明は、外装体にＩＣチップとループアンテナとが内蔵され、外装体の一面に可逆性感熱記録層が設けられてなるＲＦＩＤタグにおいて、可逆性感熱記録層が、シート状紙基材と該シート状紙基材上に塗工された可逆性感熱記録材とを備えてなり、シート状紙基材の下面をアルカリ性水溶液で溶解するアルカリ可溶性粘着剤によって外装体の一面に接合することにより、アルカリ可溶性粘着剤の易溶解性を介して可逆性感熱記録層を交換可能としたことを特徴とするＲＦＩＤタグである。
【０００７】
ここで、外装体にＩＣチップとループアンテナとを内蔵するＲＦＩＤタグは、ＩＣチップとループアンテナとを備えたＩＣモジュール層を上下一対の合成樹脂シートからなる外装体で挟み込んで一体化したものが好適に用いられ得る。
【０００８】
また、前記アルカリ可溶性粘着剤が、ｐＨ９以上のアルカリ性水溶液で溶解するものである構成が提案される。
【発明の効果】
【０００９】
本発明は、上述したように、可逆性感熱記録層が、シート状紙基材と該シート状紙基材上に塗工された可逆性感熱記録材とを備えてなり、シート状紙基材の下面をアルカリ性水溶液で溶解するアルカリ可溶性粘着剤によって外装体の一面に接合することにより、アルカリ可溶性粘着剤の易溶解性を介して可逆性感熱記録層を交換可能としたＲＦＩＤタグであるから、使用によって可逆性感熱記録層が劣化した場合には、アルカリ性水溶液を用いてアルカリ可溶性粘着剤を溶解させることにより、外装体から可逆性感熱記録層を簡単に除去することができ、該外装体に新たな可逆性感熱記録層を再接合することができる。そして、このような可逆性感熱記録層の交換を必要に応じて何度でも行うことができるため、ＲＦＩＤタグのデータ更新可能限度まで製品寿命を延長させることができ、短いサイクルでＲＦＩＤタグ自体を買い換える場合に比して、トータル的な経費削減が可能となる。また、可逆性感熱記録層の基材に、シート状紙基材を用いたので、基材全面に亘るアルカリ性水溶液の浸透作用が得られ、合成樹脂製の基材を用いる場合に比して、基材下面側のアルカリ可溶性粘着剤を迅速かつ円滑に溶解させることができるとともに、紙基材は合成樹脂製の基材より安価であるため、製品生産コストの低減が可能となる。
【００１０】
また、前記アルカリ可溶性粘着剤が、ｐＨ９以上のアルカリ性水溶液で溶解するものである構成にあっては、中性に近いアルカリ性の水では溶解しないため、運用時において、これらの水の付着による可逆性感熱記録層の不要な剥離を確実に防止することができる。
【発明を実施するための最良の形態】
【００１１】
以下に、本発明の一実施例を、図１〜図３に基づいて説明する。
ＲＦＩＤタグ１は、図１，図２に示すように、平板矩形状の外装体２にＩＣチップ３とループアンテナ４とが内蔵されており、該外装体２の一面には可逆性感熱記録層５が設けられている。ここで、外装体２は上下一対の合成樹脂シート２ａ，２ｂからなり、ＩＣチップ３とループアンテナ４とを備えたＩＣモジュール層１０を間に配置した状態で積層され、非アルカリ可溶性接着剤を介して一体化されている。前記ＩＣチップ３とループアンテナ４は、絶縁基板９の面上に担持されており、図示省略されているが、両者は電気的に接続されている。また、前記合成樹脂シート２ａ，２ｂは、絶縁性，耐アルカリ性及び適宜の強度を備えた材質によって形成されており、これにはＰＥＴ等のポリエステル系樹脂，アクリル系樹脂，ビニル系樹脂等が好適に用いられ得る。また、ＲＦＩＤタグ１は、図示しない入出力装置との間で電磁波を利用してコマンド，データ等の信号を非接触で送受信し得る非接触型の電池レスタイプとなっている。尚、ＩＣモジュール層１０は、絶縁基板９にＩＣチップ３とループアンテナ４とを担持してなるＩＣモジュールを、上下の合成樹脂シート２ａ，２ｂを相互に接合する非アルカリ可溶性接着剤内に配置して構成することも可能である。
【００１２】
外装体２の一面に設けられた可逆性感熱記録層５は、図３に示すように、シート状紙基材６と該シート状紙基材６上に塗工された可逆性感熱記録材７とを備えている。この可逆性感熱記録材７としては、ロイコ染料と顕色剤とを種々の添加剤とともに樹脂バインダー中に分散させたロイコ化合物タイプのものや、樹脂バインダー中に有機低分子を分散させた高分子／低分子タイプのものが好適に用いられ得る。尚、可逆性感熱記録材７上には、必要に応じて可逆性感熱記録材７の保護を目的とする透明なオーバーコート層（図示省略）が設けられる。
【００１３】
前記シート状紙基材６の下面には、アルカリ可溶性粘着剤を均一に塗布してなる粘着剤層８が形成されており、該粘着剤層８の粘着力によって可逆性感熱記録層５を外装体２の一面に接合するようにしている。この粘着剤層８を構成するアルカリ可溶性粘着剤は、ｐＨ９以上のアルカリ性水溶液によって溶解するものであって、このようなアルカリ可溶性粘着剤としては、アクリルゴム，ブタジエン−スチレンゴム等の合成ゴムまたは天然ゴムを主成分とするゴム系粘着剤や、アクリル酸，アクリル酸ブチル等を主成分とするアクリル系粘着剤が用いられ得る。尚、アルカリ可溶性粘着剤の溶解に用いるアルカリ性水溶液は特に限定されないが、水酸化ナトリウムまたは炭酸ナトリウムの水溶液が好ましく用いられ得る。
【００１４】
そして、このようなアルカリ可溶性粘着剤からなる粘着剤層８を用いて可逆性感熱記録層５を外装体２の一面に接合することにより、該アルカリ可溶性粘着剤の易溶解性を介して可逆性感熱記録層５が交換可能となっている。
【００１５】
かかる構成にあって、使用によって可逆性感熱記録層５が劣化した場合には、ＲＦＩＤタグ１をｐＨ９以上、好ましくはｐＨ１１以上のアルカリ性水溶液に浸漬して可逆性感熱記録層５の粘着剤層８を構成するアルカリ可溶性粘着剤を溶解させることにより、劣化した可逆性感熱記録層５を外装体２から簡単に除去することができる。この時、アルカリ性水溶液を適度の温度、例えば４０〜９０℃程度に加熱しておくことにより、その溶解作用を促進させることができる。尚、アルカリ性水溶液の温度が４０℃未満である場合にはその溶解促進作用が得られないので好ましくなく、また、９０℃を越えると外装体２が変形するといった不具合が生じるので好ましくない。
【００１６】
上記のように劣化した可逆性感熱記録層５を除去した後、ＲＦＩＤタグ１を洗浄して乾燥させれば、該ＲＦＩＤタグ１の外装体２に新たな可逆性感熱記録層５を再接合することができる。そして、このような可逆性感熱記録層５の交換を必要に応じて何度でも行うことができるため、ＲＦＩＤタグ１のデータ更新可能限度まで製品寿命を延長させることができ、短いサイクルでＲＦＩＤタグ１自体を買い換える場合に比して、トータル的な経費削減が可能となる。
【００１７】
また、可逆性感熱記録層５の基材に、シート状紙基材６を用いたので、基材全面に亘るアルカリ性水溶液の浸透作用が得られ、合成樹脂製の基材を用いる場合に比して、基材下面側のアルカリ可溶性粘着剤を迅速かつ円滑に溶解させることができるとともに、シート状紙基材６を用いた可逆性感熱記録層５は、合成樹脂製の基材を用いたものより安価であるため、製品生産コストを低減することができる。
【００１８】
また、前記アルカリ可溶性粘着剤を、ｐＨ９以上のアルカリ性水溶液で溶解するものとしたので、中性に近いアルカリ性の水では溶解しないため、運用時において、これらの水の付着による可逆性感熱記録層５の不要な剥離を確実に防止することができる。
【図面の簡単な説明】
【００１９】
【図１】本発明にかかるＲＦＩＤタグ１の模式縦断面図である。
【図２】同上のＲＦＩＤタグ１の模式平面図である。
【図３】可逆性感熱記録層５を分離した状態を示す同上のＲＦＩＤタグ１の模式縦断面図である。
【符号の説明】
【００２０】
１  ＲＦＩＤタグ
２  外装体
３  ＩＣチップ
４  ループアンテナ
５  可逆性感熱記録層
６  シート状紙基材
７  可逆性感熱記録材
８  粘着剤層（アルカリ可溶性粘着剤）
【図１】
2008221502.tif 000003
【図２】
2008221502.tif 000004
【図３】
2008221502.tif 000005